(57)【要約】【課題】ガスコンロのバーナー内のガス気流の速度を増加させ、火力を強める。【解決手段】ガス管の内部およびシリンダーに沿って設けられた突出リッジは、ガス気流の調整を行う。シリンダーは、湾曲した円形の、不均一な形状のボウル形状となっており、湾曲したリッジは、ガス管から送られたガス気流の周囲において、前部において傾斜するとともに後方に向かって湾曲している。このため、シリンダー内のガス気流は方向が変化し、ガス孔への直接的な速度が増加している。密集した固形の突出リッジは、シリンダーの中央部分に設けられ、内フレームの維持および加熱を補助している。カバーディスクの内側において、大きな突出リッジおよび小さな突出リッジがそれぞれ内方ガス孔と外方ガス孔との間に設けられており、ガス気流の速度を増加させ、反射の力を減少させるようになっている。ガスコンロのフレームの翼部に設けられた適切なサイズの開口または孔により、外部から冷却空気が流入し、より完全な燃焼が行われる。【選択図】図２
2006200883.tif 000002
【特許請求の範囲】
【請求項１】
ノズルによりガスを分配するバルブ（１）を備え、
ガス気流は、ベンチュリ開口（２）、ガス管（１０）を通過してシリンダー（１１）、カバーディスク（１２）に送られ、内方ガス孔（１３）および外方ガス孔（１４）で上方へ広がるようになっているガスコンロのバーナーであって、
ガス管（１０）内に、一本または複数の直線状に延びる突出リッジ（１８）が設けられており、
ガス管（１０）の下面にある前記リッジ（１８）は、ガス管（１０）の開口から延びる小さな部分および大きな部分をそれぞれ有するとともに、ガス管の内面を広げるシリンダー（２３）のシリンダー形状部分まで持ち上がるような（７６）湾曲した傾斜部を有し、当該リッジ（１８）は、ガス管（１０）のガス気流（２０）の流量を増加させるとともに整流を行う機能を有しており、
湾曲した突出リッジ（７６）は、ガス気流（２０）を２つの流れ（２１）（２２）に分離させてこのガス気流がシリンダー（２３）のシリンダー形状部分に衝突することを抑止するようになっており、
このリッジはガス管（２０）からのガス気流の通路となっており、
ガス気流（２４）の方向は、ガス管の側部（２５）におけるシリンダーの開口まで持ち上がることによりガス気流の動きを抑制して速度を増加させるような方向となっており、
シリンダー形状部分（２３）から突出するリッジは、ガス管（１０）から排出されるガス気流（２０）の衝撃を吸収するとともにガス管（１０）内のガス気流（２０）を２以上の流れに分離またはこの気流をそらすようになっていることを特徴とするガスコンロのバーナー。
【請求項２】
シリンダー（１１）は、湾曲した円形のボウル部（３４）を内側に有し、
このボウル部（３４）は、ガス気流（２１）（２２）（３１）（３２）の変動および衝突を減少させるとともに、シリンダー（２３）のシリンダー形状部分を取り囲んでガス気流（２１）（２２）（３１）（３２）に対してシリンダーの開口まで持ち上げるような力を作用させるようになっており、
シリンダー（１１）の内側のうちシリンダー（２３）のシリンダー形状部分を取り囲む部分は、シリンダーの開口の不均衡な内法および長さを有し、
ガス管（２５）の近傍におけるシリンダーの開口の内法および長さは、ガス管（３３）と反対側の部分におけるシリンダーの開口までの部分を基準としてシリンダー（２３）のシリンダー形状部分の両端で狭くなっており、このことによりガス気流（２１）（２２）（３１）（３２）に対してシリンダー（２３）のシリンダー形状部分を取り囲ませてシリンダーの開口に向かう方向からそらせるような力を作用させるようになっており、
ガス気流は、ガス管（３３）と反対側の部分におけるシリンダーの開口までの部分における速度増加のために圧縮されるようになっていることを特徴とする請求項１記載のガスコンロのバーナー。
【請求項３】
シリンダー（１１）において、円形の突出リッジ（３７）が設けられており、この突出リッジ（３７）の前部（２８）は湾曲して持ち上がっており、ガス管（３３）と反対側の部分におけるシリンダーに持ち上がる（３０）よりも手前側でシリンダー（３８）の中央部分を超えてわずかに湾曲しており、ガス管（１０）から送られるガス気流（２１）（２２）を取り囲むようになっており、
このガス管（３３）は、ガス管（２５）と同じ側の部分におけるシリンダーの開口に持ち上げられるよう力が作用されるガス気流（２１）（２２）の整流を行って速度を増加させる機能を有し、
ガス気流の残りの部分は湾曲した傾斜部（２９）（３０）を越えて流れ、速度が増加し（３１）（３２）、ガス管（３３）と反対側の部分におけるシリンダーの開口まで持ち上がるようになっていることを特徴とする請求項２記載のガスコンロのバーナー。
【請求項４】
ガス管（３３）と反対側の部分におけるシリンダーの開口の周りのシリンダー（１１）の表面に突出リッジが設けられており、この突出リッジは、ガス気流（３９）を分離するとともにガス気流（３１）（３２）を取り囲むようになっており、
これらの突出リッジは上方からみて湾曲して突出する形状を有し、ガス気流（３１）（３２）の方向に向かう鋭敏な周縁部（４０）によって上方からみてＶ字形状となっており、
この周縁部（４０）はガス気流（３１）（３２）の第１の部分に対して円形の湾曲表面（３９）に沿って持ち上がらせて速度を大幅に上昇させるよう力を作用させるようになっており、
ガス気流（３１）（３２）の残りの部分は２つの流れに分離されて内方ガス孔（１３）および外方ガス孔（１４）に直接移動するようになっており、
ガス管（３３）と反対側の部分におけるシリンダーの開口の周りのシリンダーの表面に設けられた突出リッジは、ガス気流（３２）（３３）に対して速度を向上させガス孔で分離または持ち上げが行われるよう力を作用させるようになっていることを特徴とする請求項３記載のガスコンロのバーナー。
【請求項５】
密集した固形のシリンダー（４７）および湾曲した傾斜部（４８）の孔または隙間は、中央の炎（５０）が燃え上がるのを補助するために、熱を蓄えるとともに、周囲を回転する（４９）ような内方の炎（４６）から供給された火力を与えるようになっており、
シリンダーの中央部分の密度および異なる高さにより、シリンダーの中心における熱の回転および巻き上げが行われるようになっていることを特徴とする請求項４記載のガスコンロのバーナー。
【請求項６】
カバーディスク（１２）の内法は均一ではなく、ガス管（５４）に近い部分におけるカバーディスク（１２）の内法を基準としてガス管（５５）と反対側の部分における垂直部分および水平部分の両方が狭くなっており、
カバーディスクの内法は、ガス気流（２６）（２７）に対してガス管およびガス管（２５）と同じ側の部分におけるシリンダーの開口から排出されて圧縮されるよう力を作用させ、ガス管（５５）と反対側の部分におけるカバーディスクまでの部分において速度を増加させるようになっていることを特徴とする請求項１記載のガスコンロのバーナー。
【請求項７】
カバーディスク（１２）の内法は、内方ガス孔（１３）と外方ガス孔（１４）との間において突出リッジ（５９）（６０）を有しており、この突出リッジ（５９）（６０）は反射による力を減少させ、シリンダーの開口から送られたガス気流を整流して速度を増加させるとともに、ガス気流に対して内方ガス孔（１３）および外方ガス孔（１４）に直接移動するよう力を与えるようになっており、
カバーディスクに設けられた突出リッジは、内方ガス孔（１３）または外方ガス孔（１４）に到達する前のガス気流の反射の力を弱め、このガス気流の整流を行いまたは速度を上昇させる機能を有し、
カバーディスクの内法は、内方ガス孔（１３）と外方ガス孔（１４）との間において前記突出リッジ（５９）（６０）の上に横たわる突出リッジ（６２）を有し、
一体となっている突出リッジ（５９）（６０）（６２）の間に、ガス気流（６３）（６４）の通路である溝が設けられており、
前記溝は、内方ガス孔（１３）および外方ガス孔（１４）の周囲にあるカバーディスクに沿った大きな部分および小さな部分をそれぞれ有し、ガス管から送られたガス気流（２６）（２７）を圧縮して、カバーディスク（５５）と反対側の部分より手前側でガス孔（１３）（１４）で拡散される前に速度を上昇させるようになっており、
突出リッジは、シリンダー（２５）（３３）（３８）の開口から送られる、内方ガス孔（１３）および外方ガス孔（１４）に到達する前のガス気流（２１）（２２）（２４）（３１）（３２）（４１）（４２）（４３）（７３）（７４）（７５）の速度を増加させて反射の力を減少させる機能を更に有することを特徴とする請求項６記載のガスコンロのバーナー。
【請求項８】
ガスコンロのフレーム（１５）において、適切なサイズの孔、または適切な一連の孔（７０）が当該ガスコンロのフレームの翼部（６９）に設けられており、より完全な燃焼を行うために、冷却空気または酸素（７１）を外部から送ることができるようになっていることを特徴とする請求項１乃至７のいずれか一項に記載のガスコンロのバーナー。
【発明の詳細な説明】
【技術分野】
【０００１】
本発明は、料理、加熱および他の様々な目的のために、高圧の気体燃料エネルギーを使用するガスコンロのバーナーに関する。
【背景技術】
【０００２】
本発明の構成に関連する主要分野は、ガス気流の動きに焦点をあてた空気力学の技術である。このガス気流はガス管からシリンダーに移動し、カバーディスクに到達する前に速度が上昇し、ガス孔において上方に広がるようになっている。他の関連分野は、燃焼、熱の蓄え、ならびに燃焼をより完全に行うための冷気（酸素）に係るガスコンロに関する技術である。
【発明の開示】
【発明が解決しようとする課題】
【０００３】
高圧のガスコンロのバーナーにおいて、一般的にガス管の内部形状は通常の管と同様のものとなっている。このガス管は、ドーナッツ形状であり平らな表面を有するシリンダーと接続している。このシリンダーの中央には中空のシリンダー形状部分が形成されている。ガス気流がガス管およびシリンダーを通過してシリンダー形状部分を取り囲んだときに、その速度のかなりの部分が失われる。なぜならば、ガス管内で速度を失うとともに、シリンダーのシリンダー形状部分に衝突し、垂直方向の速度も失うからである。さらに、ガス気流は、シリンダーの平らな表面に沿って流れるが、このシリンダーはカバーディスクに覆われており、このカバーディスクの形状は上方から見たときにドーナッツ形状となっている。カバーディスクにおいて、燃焼のためにガスを上方に拡散させるための一連の孔が形成されている。その結果、カバーディスクの内方の平らな面により、全ての構成要素を通過するガス気流は、孔に達するまでにその力および速度が弱められる。ガス気流がカバーディスクの内面に衝突するからである。さらに、ガス気流は、ガス管、シリンダーおよびカバーディスクを通過する間において、ガス孔で上方に広がる前に、反射されることにより速度のかなりの部分を失ってしまう。このため、通常時よりも火力が弱くなってしまう。カバーされたガスコンロのフレームは、密集した固形の翼を有し、この翼により冷気が十分に流入しないようになっている。このため、燃焼の間に油煙が発生してしまう。
【０００４】
このような理由により、ガスコンロのフレームは、シリンダーおよびカバーディスク内におけるガス気流に対して方向を変えて当該ガス気流の速度を調整することにより、高速でガス孔から流出するようガス気流に力を作用させるよう形成されることが望ましい。このことにより、最も大きな火力が得られ、ガスの消費量が少なくなり、不完全な燃焼およびガスコンロのフレームの設置により発生する油煙を減少させることができる。
【０００５】
本発明の主な目的は、ガス気流に対してより大きな速度でガス孔から流出させるような力を作用させ、ガス気流がシリンダーを通過してこのシリンダー内における速度が圧縮により上昇した後で、ガス管から垂直成分となるガス気流の水平成分をそらすことにより相当に大きな火力を生成し、ガス気流の圧縮および整流を行うためのカバーディスクに向かってガス気流が上方へ広がる前に、ガス管およびシリンダー内におけるガス気流の衝撃および摩擦を低減させることにある。
【課題を解決するための手段】
【０００６】
このため、ガス孔から送られるガス気流の速度は、最高速度および燃焼の目的に必要とされる最後の部分であると考えられる。さらに、ガスコンロのフレームは、熱を蓄えて燃焼を行うための冷気（酸素）を生成し、ガスの消費量を少なくし、燃焼中の油煙および汚染を減少させるよう形成されている。
【発明を実施するための最良の形態】
【０００７】
図１に、一般的なガスコンロのバーナーを示す。このガスコンロのバーナーは、バルブ（１）、ベンチュリ開口（２）および要求に基づいて空気を調整するために用いられる空気調節プレート（３）のような主要な機器を備えている。次いで、ガスはガス管（４）を通過してシリンダー（５）およびカバーディスク（６）に入り、燃焼の目的のために内方ガス孔（７）および外方ガス孔（８）で上方へ広がる。ガスコンロのフレーム（９）は、風からの保護を行うとともに熱を維持する機能を有する。いくつかのタイプのガスコンロは、構成および利用の目的に基づいて、上述の機器の他に、２つのバルブ、２以上のガス管等の異なる機器を備え、あるいはシリンダーの形状またはガス孔の数等が異なるようになっていてもよい。
【０００８】
図２に、本発明によるガスコンロのバーナーを示す。このガスコンロのバーナーは一般的なものと類似しているが、ガス管（１０）、シリンダー（１１）、カバーディスク（１２）を通過して内方ガス孔（１３）および外方ガス孔（１４）で上方へ広がるガス気流の速度を調整して方向を変えるために、内側およびいくつかの外部の部分が異なる構成となっている。このため、ガス気流はガス孔の周囲において相当に速度を上昇させることができる。さらに、ガスコンロのフレーム（１５）の翼部（６９）に孔（７０）を設けることにより、より完全な燃焼を行うために、外部空気を中に入れることができる。
【０００９】
図３に、ガス管（４）およびシリンダー（５）内のガス気流の動きを示す一般的なシリンダーの部分断面図を示す。一般的なガスコンロのバーナーのガス気流（１６）がバルブまたはノズル（１）から流出したときには、このガス気流はシリンダー（５）に到達する前にガス管（４）を通過する。このシリンダー（５）には、シリンダー形状部分（１７）が挿入されている。この部分におけるガス気流は、シリンダー（１７）のシリンダー形状部分に衝突する。このため、ガス気流（１６）は速度をある程度失うこととなる。
【００１０】
図４、５、６および１０に、本発明によるシリンダーを示す。このシリンダーにおいて、ガス管（１０）は、ベンチュリ開口（２）に接続された当該ガス管の下面（１８）および上面（１９）に沿って突出リッジを有するよう形成されている。下方の突出リッジ（１８）は、小さな部分および大きな部分をそれぞれ有し、シリンダー（２３）のシリンダー形状部分まで持ち上がっている（７６）。このようにして、ベンチュリ開口からガス管に送られるガス気流（２０）の流量を増加させて整流を行うために、ガス管の内面の面積を大きくしている。持ち上げられた突出リッジは、ガス気流（２０）を２つの流れ（２１）（２２）に分離させ、このガス気流（２０）がシリンダー（２３）のシリンダー形状部分に衝突することを抑止させるような機能を有している。ガス管から送られたガス気流のある程度の部分は突出リッジ（７６）に沿って流れる。このため、ガス気流（２４）は、ガス管（２５）と同じ側の部分におけるシリンダーの開口に持ち上がる。
【００１１】
図４、５および１１に、ガス管（１０）の内面にある上方の突出リッジ（１９）を示す。この突出リッジ（１９）は、ガス管（１０）の上方側のガス気流（２０）を分離させて整流を行う機能を有する。この際に、ガス気流がシリンダー（２５）に到達する前に当該ガス気流を２つの流れ（２６）（２７）に分離させている。このガス気流の一部分については後に詳述する。
【００１２】
図４、５および６に、ガス管（１０）を通過した後のガス気流（２１）（２２）の動きを示す。このガス気流の部分は、両端がシリンダー（１１）の下盤に取り付けられガス気流（２１）（２２）の流れを囲むようなアークリッジ（３７）により支持された、ガス管（２５）と同じ側の部分におけるシリンダーの開口まで持ち上がっている。これらのアークリッジは、前部（２８）で湾曲して持ち上がり、シリンダー（２９）の中央部分を越えてわずかに湾曲し、ガス管（３３）と反対側の部分におけるシリンダーまで持ち上がる（３０）といった、特有の特徴を有している。この湾曲した表面（３７）における特有の特徴により、ガス気流が前部における湾曲して持ち上がった部分を流れるので、ガス気流（２１）（２２）に対して、２つの流れに分離させ、方向を変えさせ、シリンダー（２５）の開口まで持ち上がり、相当に大きく速度を上昇させるよう力を作用させることができる。同時に、ガス気流の残りの部分は、シリンダー（２３）のシリンダー形状部分および湾曲した傾斜部（２９）（３０）を取り囲む。このことにより、ガス気流は相当に速度が大きくなる（３１）（３２）。このガス気流はガス管（３３）と反対側の部分におけるシリンダーの開口に達するまでに湾曲して持ち上がる部分を流れるからである。
【００１３】
図３は、一般的なシリンダーの内側を示す。このシリンダーにおいて、平らな下盤は均一となっており（３５）、この下盤は、ガス管と同じ側および反対側で同じレベル（３６）となっており、上面から見てドーナッツ形状となっている。さらに、シリンダー（１７）のシリンダー形状部分を取り囲むガス気流（１６）は、ある程度の速度が失われる。平らな下盤に沿って流れるうちに、ガス気流（１６）は下盤に対して平行に動き、それ自体はシリンダーの開口まで持ち上がらないからである。
【００１４】
図７および８は、本発明によるシリンダーの内側を示す。このシリンダーにおいて、内壁は円形となっておりボウル（３４）のように湾曲している。このことにより、ガス気流（２１）（２２）（３１）（３２）の変動を減少させ、持ち上げの力を増加させる。このようにして、ガス気流の速度が大きく失われることはなくシリンダーの開口全体まで持ち上がることができるようになる。シリンダーの内部形状はわずかに狭くなっており、図４および５に示すようにガス管（３３）と反対側の部分におけるシリンダーの開口に達するまで持ち上がっている。このことにより、中央部分（３８）およびガス管（３３）と反対側の部分におけるシリンダーの開口に持ち上がるまでの、ガス気流（３１）（３２）の速度を増加させている。
【００１５】
図９、１０および１１は、本発明による内側およびガス気流の動きを示す。右方へ移動するガス気流（３１）は、速度がより大きく増加する。なぜならば、シリンダーの内側はわずかに狭くなっており、突出リッジに達するまでにガス管（３３）の反対側の部分におけるシリンダーの開口まで持ち上がっているからである。この突出リッジはガス気流（３９）を分離させる機能を有し、ガス管（３３）と反対側にあるシリンダーの開口の周りのシリンダーの表面に取り付けられている。これらの突出リッジ（３９）は上面から見てＶ字形状となっており、側方から見て湾曲した傾斜部となっている。これらのリッジはガス気流（３１）の方向に向かって鋭敏なリム（４０）を湾曲させている。鋭敏な端部（４０）の位置は、シリンダー（３８）のほぼ中央開口の周りとなっている。突出リッジ（３９）には、ガス気流（３１）を３つの流れに分離するような２つの溝（４４）が設けられている。ガス気流（３１）の第１の部分は、突出リッジ（３９）の湾曲部分を越えて持ち上がり、シリンダー（３３）の開口に向かって移動するガス気流（４１）となる。ガス気流（３１）の残りの部分に対しては、２つの流れ（４２）（４３）に分離して、シリンダー（３３）の開口の周りにある内方ガス孔（１３）および外方ガス孔（１４）に直接流れるよう力を作用させる。この際に、ガス気流は圧縮されてわずかに狭くなるので、速度が相当に大きくなる。左方において２つの溝に沿って移動するガス気流（３２）についても、ガス気流（３１）と同様となる。図９および１１に示されるガス気流（７３）（７４）（７５）の方向を参照されたい。
【００１６】
図１および図３に、一般的なガスコンロのバーナーのシリンダーを示す。このシリンダーは、上方から見たときにドーナッツ形状に見える。なぜならば、中央部分（４５）に孔または隙間が設けられているからである。このことにより、燃焼の際に内方ガス孔（７）の炎により生成される熱が失われるようになる。このため、ガスコンロのバーナーは、孔または隙間（４５）の周りの熱をある程度失ってしまう。
【００１７】
図１０および２０に、本発明によるガスコンロのバーナーのシリンダーを示す。このシリンダーにおいて、シリンダーの中央部分および湾曲した傾斜部（４８）に密集した固形の孔（４７）を形成することによって、内方の炎の熱を蓄えるようになっている。これらのシリンダーの中央部分および湾曲した傾斜部（４８）は、内方の炎（４６）および回転する部分（４９）により生成される熱（５０）を維持する機能を有している。このため、内方の炎が加熱される（５０）（加熱は、密集した固形のまたは異なるレベルの溝を形成することにより行われる。このため、熱（５０）は回転する）。シリンダーの中央部分には、ノット（５２）を固定するための孔が空けられている。このノット（５２）は、シリンダーを表面に連結させる機能を有し、作動中にガスコンロのバーナーが移動しないようにする。
【００１８】
図１２、１３および１４は、内法が均一であり（５３）内面が平ら（５６）であるカバーディスクを示す。ガス気流（５７）がシリンダーを通過したときに、このガス気流（５７）は表面が平らである内方カバーディスク（５６）に衝突する。ガス気流は内方ガス孔（７）および外方ガス孔（８）に到達する前にほとんどの部分が反射するので、ガス気流（５７）の速度が減少する。
【００１９】
図１８および１９は、本発明による、不均一に形成され特有の特徴を有するカバーディスクの内側を示す。ガス管（５４）に近い部分におけるカバーディスクの内側は通常のサイズとなっており、ガス管（５５）と反対側の部分に達するまで垂直部分および水平部分の両方においてわずかに狭くなっている。このことにより、ガス管の先端から流出するガス気流（２６）（２７）に対して、ガス管（５５）と反対側の部分におけるカバーディスクに達するまで速度を増加させるような力を作用させる。ガス気流が圧縮されるからである。
【００２０】
図５、１６および１７は、本発明によるカバーディスクを示す。このカバーディスクにおいては、内面が特有の特徴を有するよう形成されている。ガス孔（１３）（１４）に達するまでの突出リッジ（５９）（６０）は、カバーディスクによる反射の力を減少させ、シリンダーから流出して内方ガス孔（１３）および外方ガス孔（１４）に直接的に移動するガス気流（６１）の整流を行う機能を有している。ガス気流は内方ガス孔（１３）および外方ガス孔（１４）に達するまでに速度が増加する。ガス孔を越えて湾曲するような突出リッジ（５９）（６０）の表面に沿って流れるからである。必要に応じてガス気流（７２）がガス孔から広がる。
【００２１】
図１８および１９に、本発明によるガスコンロのバーナーのカバーディスクの内側を示す。このカバーディスクにおいて、突出リッジ（５９）は円形となっており湾曲している。さらに、円形の突出リッジ（６０）が内方ガス孔（１３）と外方ガス孔（１４）との間に設けられている。湾曲した円形の突出リッジは、ガス管（５４）と同じ側に設けられており、ガス管（５５）と反対側の部分に達するまでわずかに湾曲している。このような突出リッジ（５９）（６０）において、互いに横たわる小さな突出リッジおよび大きな突出リッジ（６２）がそれぞれ設けられている。これらのリッジ（６２）は、ガス管（５４）と同じ側の部分に向かって小さなサイズとなる。特有の特徴は、内方ガス孔（１３）および外方ガス孔（１４）の周りに、ガス気流の隙間となるような、大きな部分および小さな部分をそれぞれ有する溝（６３）を形成することにある。このような隙間によって、図１８により詳しく示すようなガス管（２６）（２７）の先端から送られたガス気流の圧縮を行う。ガス気流は、溝（６３）（６４）を通って内方ガス孔（１３）および外方ガス孔（１４）の周りで流出する。これらの溝（６３）（６４）により、カバーディスク（５５）の反対側に達する前のガス孔に広がるまでのガス気流（２６）（２７）の速度が増加する。図１９のガス気流（６５）（６６）の方向を参照されたい。また、突出リッジ（５９）（６０）（６２）も、シリンダーの開口から流出して内方ガス孔（１３）および外方ガス孔（１４）に到達する前におけるガス気流（２１）（２２）（２４）（３１）（３２）（４１）（４２）（４３）（７３）（７４）（７５）の速度を増加させて反射の力を減少させる機能を有している。
【００２２】
図１６は、ガスコンロのバーナーを使用する際に、使用者がカバーディスクをガスコンロのバーナーに適切においた状態を示している。カバーディスクの背面について、このカバーディスクの正確な位置決めを示す参照符号６７を参照されたい。
【００２３】
図１に、一般的なガスコンロのバーナーにおける、密集した固形の翼部（６８）を有する一般的なガスコンロのフレーム（９）を示す。この翼部（６８）は、器具がセットされて燃焼を開始した際に、熱を蓄える機能を有している。燃焼は、完全には行われない。外部の空気や酸素がこの装置に流入しないからである。さらに、燃焼の間、熱は完全なものとはならず、油煙が発生してしまう。
【００２４】
図２に、本発明によるガスコンロのフレーム（１５）を示す。このフレーム（１５）は、特有の特徴を有するよう形成されている。すなわち、フレーム（１５）の翼部（６９）は適切なサイズの間隙または適切な一連の孔（７０）を有し、この間隙または孔により外部の空気または外部から送られた酸素（７１）が流入し、燃焼が完全に行われるようになり、また、油煙を減少させて食べ物の汚れを取り除くことができる。その結果、ガスコンロのフレーム（６９）の翼部は壊れにくくなる。ガスコンロのフレーム（６９）の翼部に衝突する力は、これらの孔（７０）により拡散される。
【００２５】
本発明は当業者により様々な変更を行うことができ、このような変更は請求項に記載された範囲内において本発明の趣旨に何ら影響を与えないことはいうまでもない。
【産業上の利用可能性】
【００２６】
ガスは、価格がより高い燃料エネルギーである。毎回の生産品の量が多い場合は、生産コストを減少させることができる。多量の鋳鉄を用いて土手を作ることにより、この種の鉄から形成されるガスコンロのバーナーは、同一の標準的なレベルの品質を有しており、家庭、レストラン、政府機関、ホテル、工業において幅広く用いることができる。国が料理のためのガスを節約することができ、環境を保護することができるようになるからである。
【図面の簡単な説明】
【００２７】
【図１】一般的なガスコンロのバーナーの斜視図である。
【図２】本発明によるガスコンロのバーナーの装置を示す斜視図である。
【図３】ガス管およびシリンダー内のガス気流の動きを示す一般的なシリンダーの部分断面図である。
【図４】ガス管およびシリンダーの断面図である。
【図５】ガス管およびシリンダー内のガス気流の動きを示す断面図である。
【図６】シリンダーの中央部分およびガス気流の動きを示す図である。
【図７】ガス管と同じ側の部分におけるシリンダーの内側を示す部分断面図である。
【図８】ガス管と反対側の部分におけるシリンダーの内側を示す部分断面図である。
【図９】シリンダーの上面図である。
【図１０】本発明によるシリンダーの部分断面図であって、内側およびガス管内のガス気流の動きを示す図である。
【図１１】本発明によるシリンダーの部分断面図であって、ガス管およびシリンダー内のガス気流のあらゆる流れ方向を示す図である。
【図１２】ガスコンロのバーナーの一般的なカバーディスクの断面図であってガス気流の動きを示す図である。
【図１３】ガスコンロのバーナーの一般的なカバーディスクを裏向きにしたときの斜視図である。
【図１４】ガスコンロのバーナーの一般的なカバーディスクを上向きにしたときの斜視図である。
【図１５】本発明によるガスコンロのバーナーのカバーディスクの断面図であってガス気流の動きを示す図である。
【図１６】本発明によるカバーディスクを裏向きにしたときの斜視図である。
【図１７】本発明によるカバーディスクの内側を示す斜視図である。
【図１８】本発明によるカバーディスクの内側およびガス気流の動きを示す部分断面図である。
【図１９】本発明によるカバーディスクのガス気流の動きを示す図である。
【図２０】内方の炎の周りの熱の上昇の動きを示す図である。
【図１】
2006200883.tif 000003
【図２】
2006200883.tif 000004
【図３】
2006200883.tif 000005
【図４】
2006200883.tif 000006
【図５】
2006200883.tif 000007
【図６】
2006200883.tif 000008
【図７】
2006200883.tif 000009
【図８】
2006200883.tif 000010
【図９】
2006200883.tif 000011
【図１０】
2006200883.tif 000012
【図１１】
2006200883.tif 000013
【図１２】
2006200883.tif 000014
【図１３】
2006200883.tif 000015
【図１４】
2006200883.tif 000016
【図１５】
2006200883.tif 000017
【図１６】
2006200883.tif 000018
【図１７】
2006200883.tif 000019
【図１８】
2006200883.tif 000020
【図１９】
2006200883.tif 000021
【図２０】
2006200883.tif 000022